(57)【特許請求の範囲】
【請求項１】
着脱可能な複数の記録媒体を備えた情報記録装置の記録情報管理方法において、
入力された入力情報を、前記複数の記録媒体のうち少なくとも一つに記録するステップと、
前記入力情報の記録に関する所定の指示をユーザーから受信するステップと、
前記所定の指示に基づき、前記入力情報をユーザー側で管理する個別管理情報として、前記複数の記録媒体のうち少なくとも一つの第１の記録媒体に記録を行なうか、記録情報装置側で管理する一括管理情報として、前記複数の記録媒体のうち少なくとも一つの第２の記録媒体に記録を行なうかを決定するステップと、
前記一括管理情報から、前記個別管理情報に変更する情報を特定するステップと、
該ステップで特定された前記一括管理情報を、一括管理情報が記録されていることを示す識別子を持った前記記録媒体に記録するステップと、
該ステップによる記録が終了したのち、前記識別子を一括管理情報が記録されていることを示す識別子から、個別管理情報が記録されていることを示す識別子に変更するステップとを具備したことを特徴とする記憶情報管理方法。
【請求項２】
一括管理情報が記録されていることを示す識別子を持った前記記録媒体に予め記録されていた変更対象でない情報を、前記記録媒体以外の他の記録媒体に移動するステップとを更に具備したことを特徴とする請求項１記載の記憶情報管理方法。
【請求項３】
一括管理情報が記録されていることを示す識別子を持った前記記録媒体に予め記録されていた変更対象でない情報を移動する記録媒体として、個別管理情報が記録されていることを示す識別子を持った記録媒体を選択し、この識別子を一括管理情報が記録されていることを示す識別子に変更するステップとを更に具備したことを特徴とする請求項１記載の記憶情報管理方法。
【発明の詳細な説明】
【０００１】
【発明の属する技術分野】
本発明は特にデジタル放送など大規模なマルチメディアデータを蓄積・記録するための、書き込み可能なメディアのオートチェンジャー等を備えた記録情報管理方法に関する。
【０００２】
【従来の技術】
近年、記録装置を構成するメディアの記録容量の向上は著しく、例えばDVD-RAMでは一枚のディスクで数ＧＢもの容量を達成している。さらに、DVD-RAMの形態はディスクであるため、オートチェンジャーを用いることにより多数のDVD-RAMを自動的に着脱して管理することが可能である。
【０００３】
これにより記録装置全体としての容量が飛躍的に向上し、放送番組の自動録画のような大規模な記録領域を必要とする応用も実現可能になってきている。
すなわち、メディアに記録したファイルをシステムより取り出して外に持ち出すことや、メディアを入れ替えることによりオートチェンジャーに搭載するメディアの合計容量以上のデータを保有することが可能となった。このような複数メディアから構成される記録装置の基本的な記録管理方式として以下の２つの方式が考えられる。
【０００４】
（１）一括管理方式：すべてのメディアの記録領域全体を一括してシステムが管理する。
（２）個別管理方式：各メディアを独立な記録領域として個別に管理する。
従来、磁気ディスクのように複数のメディアが一体となってシステムに組み込まれている記録装置では一括管理方式がとられていた。一括管理方式ではシステムはすべてのメディアを一つの連続した記録領域として管理するため、ファイルを格納するための場所の決定は融通性が高い。
【０００５】
すなわち、１ファイルが複数メディアにまたがって格納されてもよく、また書き込みや消去を繰り返したときに生じる各メディア内の空き領域をまとめて１つのファイルに割り当てることができ、システム全体として記録領域を効率よく管理することができる。しかし、オートチェンジャーの中の１メディアを取り出して外部に持ち出すことを考えると、所望のファイルが複数枚のメディアに分散されて格納されている場合や、関連する複数のファイルが異なるメディアに格納されている場合が発生するため複数枚のメディアの同時取り出しが必要となり、外部への持ち出しが不便となる。
【０００６】
さらにオートチェンジャー装置の容量を越えるファイルを保有する場合、オートチェンジャーのメディアの交換作業が同時に複数枚必要となる場合があり、その手間が複雑となる可能性がある。
【０００７】
一方、従来のオートチェンジャーを用いた記録装置はCD-ROMやDVD-ROMなどの読み出し専用の記録装置やテープ等のランダムアクセス不能の記録装置を前提としたものが多く、使い方も限定されていたため記録管理はメディア毎の個別管理方式がとられていた。
【０００８】
個別管理方式ではファイルの格納先のメディアはユーザーが指定するため、関連したファイルを同一のメディアに格納することができ、オートチェンジャーから取り出して外部に持ち出す場合やオートチェンジャー内のメディアの入れ替えに便利となる。
【０００９】
しかし、放送番組の自動録画のような応用では、録画する番組をどのメディアに格納するかを個々の番組毎にユーザーが予め指定する、あるいはシステムがメディアを自動的に決定するのに充分な情報をユーザーが指定する必要があり、煩わしい操作となる。
【００１０】
また複数メディアの空き領域を連結したファイルの格納が困難となり、オートチェンジャー全体としての記録効率が低下するという問題があった。
【００１１】
【発明が解決しようとする課題】
以上のようにオートチェンジャーを備えた記録システムにおいて放送の自動録画を行うためには従来の一括管理方式や個別管理方式では不十分である。
一括管理方式では、所望のファイルが複数枚のメディアに分散されて格納されている場合や、関連する複数のファイルが異なるメディアに格納されている場合が発生するため複数枚のメディアの同時取り出しが必要となり、外部への持ち出しが不便となる。さらにオートチェンジャー装置の容量を越えるファイルを保有する場合、オートチェンジャーのメディアの交換作業が同時に複数枚必要となる場合があり、その手間が複雑となる。
【００１２】
また、個別管理方式では、録画する番組をどのメディアに格納するかを個々の番組毎にユーザーが予め指定する、あるいはシステムがメディアを自動的に決定するのに充分な情報をユーザーが指定する必要があり、煩わしい操作となる。
【００１３】
また複数メディアの空き領域を連結したファイルの格納が困難となり、オートチェンジャー全体としての記録効率が低下するという問題点があった。
【００１６】
【課題を解決するための手段】
本発明の記録情報管理方法は、着脱可能な複数の記録媒体を備えた情報記録装置の記録情報管理方法において、入力された入力情報を、前記複数の記録媒体のうち少なくとも一つに記録するステップと、前記入力情報の記録に関する所定の指示をユーザーから受信するステップと、前記所定の指示に基づき、前記入力情報をユーザー側で管理する個別管理情報として、前記複数の記録媒体のうち少なくとも一つの第１の記録媒体に記録を行なうか、記録情報装置側で管理する一括管理情報として、前記複数の記録媒体のうち少なくとも一つの第２の記録媒体に記録を行なうかを決定するステップと、記録された前記個別管理情報を、前記一括管理情報に変更するステップとを具備する。
【００１７】
また、本発明の記録情報管理方法は、着脱可能な複数の記録媒体を備えた情報記録装置の記録情報管理方法において、入力された入力情報を、前記複数の記録媒体のうち少なくとも一つに記録するステップと、前記入力情報の記録に関する所定の指示をユーザーから受信するステップと、前記所定の指示に基づき、前記入力情報をユーザー側で管理する個別管理情報として、前記複数の記録媒体のうち少なくとも一つの第１の記録媒体に記録を行なうか、記録情報装置側で管理する一括管理情報として、前記複数の記録媒体のうち少なくとも一つの第２の記録媒体に記録を行なうかを決定するステップと、記録された前記一括管理情報を、前記個別管理情報に変更するステップとを具備する。
【００１８】
また、本発明の記録情報管理方法は、着脱可能な複数の記録媒体を備えた情報記録装置の記録情報管理方法において、入力された入力情報を、前記複数の記録媒体のうち少なくとも一つに記録するステップと、前記入力情報の記録に関する所定の指示をユーザーから受信するステップと、前記所定の指示に基づき、前記入力情報をユーザー側で管理する個別管理情報として、前記複数の記録媒体のうち少なくとも一つの第１の記録媒体に記録を行なうか、記録情報装置側で管理する一括管理情報として、前記複数の記録媒体のうち少なくとも一つの第２の記録媒体に記録を行なうかを決定するステップと、前記一括管理情報から、前記個別管理情報に変更する情報を特定するステップと、該ステップで特定された前記一括管理情報を、一括管理情報が記録されていることを示す識別子を持った前記記録媒体に記録するステップと、該ステップによる記録が終了したのち、前記識別子を一括管理情報が記録されていることを示す識別子から、個別管理情報が記録されていることを示す識別子に変更するステップとを具備する。
【００１９】
【発明の実施の形態】
以下、図面を参照しながら発明の実施例を説明する。
（第１の実施例）
図１は本実施例に係るオートチェンジャー装置の基本構成図である。図１において、オートチェンジャー装置１０は、着脱可能な記録媒体であるメディア１〜６、記録再生部１１、バッファ１２、メディア取出し口１３から構成される。ここで記録再生部は複数あってもよい。各メディア１〜６は記録再生部１１により記録されたファイルの読み出しや入力されたファイルの書き込みが可能となる。バッファ１２は各メディア１〜６が記録再生部１１に装備されるまでの待ち時間の短縮や、オートチェンジャー装置１０におけるシステム全体の管理領域や作業領域として用いられる。オートチェンジャー装置１０は、家庭ネットワークなどのネットワークに接続され、このネットワークに接続された他の端末１４などを介し、ユーザーからの入力により制御可能である。また、図示しないユーザー入力部を本体に具備してもよい。
【００２０】
オートチェンジャー装置１０内の各メディア１〜６は、一括管理部分と個別管理部分の２つから構成される。一括管理部分では、全てのメディアの記録領域を一括してオートチェンジャー装置１０のシステムが管理する。一括管理部分に属するメディアをユーザーがファイルの格納先として指定することはできない。個別管理部分では、各メディアの記録再生をシステムの管理に依存せず、個別の記録領域としてユーザーが管理する。ユーザーはファイルの記録先として個別管理部分のメディアを指定することができる。
【００２１】
一括管理部分のメディアに録画された番組は、一定の時間が経過したときに自動消去できるようにしても構わない。これに対して、個別管理部分のメディアに録画された番組は自動消去の対象にはならない。
【００２２】
一括管理部分は一つ以上のメディアを一つのファイル管理テーブルにより管理する。本実施例では、メディア１〜３を一括管理部分とし、メディア４〜６を個別管理部分とした場合を例に説明する。
【００２３】
オートチェンジャー装置１０内のファイル管理テーブルを図２に示す。図２において各メディア１〜６は複数のトラック１〜４により構成される。トラックとはメディア内の位置を示すものであり、物理的なメディア内の位置を意味するものでもよいし、論理的なメディア内のファイル構成を示すものでもよい。本実施例においては各メディアとも４つのトラックより構成されるものとする。また１つのファイルが複数トラックにまたがる場合には単一トラックに格納される部分をサブファイルとし、ファイル名の後に一連番号を付加して表す。例えばファイルAはメディア１のトラック１とメディア２のトラック１にまたがって格納されており、サブファイルをそれぞれA1、A2と表す。
【００２４】
一括管理部分に相当するメディア１〜３内には５つのファイル（Ａ，Ｂ，Ｃ，Ｄ，Ｅ）が格納されている。一括管理部分ではこれら全体を１つのファイル管理テーブルにより管理する。
【００２５】
ファイル管理テーブルはファイル名もしくはサブファイル名、メディア、トラックより構成される。また、各メディア上の空き領域も合わせてこの管理テーブルに登録されるものとする。ここで、各メディアに格納されているファイルの一覧（番組）をユーザーに提示する手段を持つことが望ましい。
【００２６】
個別管理部分に相当するメディア４〜６内には４つのファイル（Ｘ，Ｙ，Ｚ，Ｗ）が格納されている。個別管理部分は各メディア毎に異なるファイル管理テーブル
として構成され、各テーブルにはトラックとファイル名もしくはサブファイル名との対応が記述される。
ここで、図２の状態でファイルＦ（Ｆ１、Ｆ２）を自動録画する場合を考える。個別管理方式では、ユーザーがメディア１とメディア３内の空き領域を見つけ、それぞれにＦ１、Ｆ２の録画を設定する必要がある。あるいは、録画用に新規に別のメディアを用意しなくてはならない。これに対し、本実施例では、図３に示すように一括管理部分がメディア１とメディア３の空き情報を管理しているため、自動的にメディア１とメディア３の空き領域を連結してファイルFを格納することができる。
【００２７】
また、ユーザーが記録先を指定したい場合は、その指定に基づいて個別管理部分のメディアに記録される。
図４は、本実施例の動作を示すフローチャートである。はじめにユーザーが、メディアに記録する内容およびその内容を個別管理部分と一括管理部分のいずれに記録するかを示す情報を入力する（Ｓ４０１〜Ｓ４０３）。個別管理部分と一括管理部分の区別には、例えば識別子を用いる。識別子の値で区別してもよいし、識別子の有無で区別してもよい。ここで個別管理部分に記録する場合は、ユーザーの指定したメディアに記録する（Ｓ４０４）。また、一括管理部分に記録する場合は、一括管理部分の空き領域に記録する（Ｓ４０５）。ここではユーザーの入力を受信する場合を説明したが、ユーザーの入力が省略された場合は、一括管理部分に記録するようにしてもよい。
【００２８】
このように一括管理部分を利用することにより、ユーザーがメディアを指定する煩わしさがなくなり、かつ記録効率が向上する。また、個別管理部分に属するメディアを取り出す場合は、メディア４のように関連するファイルが同一メディアに格納されているためユーザーにとって好都合である。
【００２９】
本実施例によれば、放送番組の自動録画において煩わしい操作を行うことなく格納するメディアを決定することができ、かつユーザーは特定の番組に関しては予めメディアを指定して録画することができるため、メディアを取り出して持ち出すことが容易となる。また、個別管理方式に比べて記録効率が向上する。
【００３０】
（第２の実施例）
第２の実施例に係るオートチェンジャー装置は、図１のオートチェンジャー装置１０に図示しない録画予約指定部を更に具備する。第１の実施例と同様、メディア１〜３を一括管理部分とし、メディア４〜６を個別管理部分とする。録画予約指定部では、個別管理部分の各メディアに対応して、録画予約する番組を指定する。なお、第１の実施例と同様、個別管理部分の各メディア毎にファイル管理テーブルを持つものとする。
【００３１】
図５に、録画予約指定部内の録画予約情報の例を示す。個別管理部分の各メディア４〜毎に録画予約情報として、日付、開始時間、終了時間、チャンネルを指定する。なおこの内容は録画する番組を特定するためのものであり、例えばGコードでもよい。録画予約指定部により特定された日付の時刻になると、自動的にその番組が対応するメディアに書き込まれる。このような録画予約指定部の入力はネットワーク接続されている端末や、リモコンから行うことができ、またＥＰＧ等の情報を利用して番組を指定することにより、対応する内容を設定することも可能である。
【００３２】
録画予約指定部で指定した番組以外は、一括管理の対象となるファイル管理テーブルを参照することにより一括管理部分のメディアの中から空き領域を見つけ、格納先メディアを決定する。
【００３３】
図６は、本実施例の動作を示すフローチャートである。はじめにユーザーが録画予約を行なう（Ｓ６０１、Ｓ６０２)。ここで録画予約があった場合、指定した時刻がきたらユーザーの指定したメディア（個別管理部分）に、指定した番組を記録する（Ｓ６０３）。録画予約がなかった場合は、所定の番組を一括管理部分のメディアに記録する（Ｓ６０４）。
【００３４】
これにより、個別管理部分の各メディアに対応して、録画予約する番組を指定することができる。
本実施例によれば、ユーザーは特定の番組に関しては予めメディアを指定して録画することができるため、メディアを取り出して持ち出すことが容易となる。また、ユーザーが録画予約していない番組を一括管理部分のメディアに自動録画することが可能となる。
【００３５】
（第３の実施例）
第３の実施例に係るオートチェンジャー装置は、図１のオートチェンジャー装置１０に図示しないファイル属性指定部を更に具備する。第１の実施例と同様、メディア１〜３を一括管理部分とし、メディア４〜６を個別管理部分とする。ファイル属性指定部は、個別管理部分の各メディアに対応して、番組の属性を指定するものである。なお、第１の実施例と同様、個別管理部分の各メディア毎にファイル管理テーブルを持つものとする。
【００３６】
図７に、ファイル属性指定部内のファイル属性指定の例を表す。この例では、メディア４には、タイトル＝ドラマ、日付＝９月２０日、時間＝２１：００−２３：００、チャンネル＝１０がそれぞれ属性として指定されており、この指定に合致した属性を持つ放送番組を録画予約する。また、メディア５にはタイトル＝スポーツトゥデイのみが属性として指定されている。これは、タイトルが一致すれば日付や時間やチャンネルを特定しないことを表し、例えば連続番組を録画することを表している。また、メディア６には番組名を指定するのではなく、ジャンルとキーワードを指定する例を表す。
【００３７】
このようなジャンルやキーワードの設定は、ＥＰＧあるいは番組分類表から対応する項目を選択することにより行うものとする。
図８にＥＰＧの例を示す。ＥＰＧは時間軸とチャンネルにより構成される表として表され、放送データとして定期的に送信されるもの、あるいはネットワークなどを経由して入手できるものとする。ＥＰＧの各番組には番組内容を表す属性としてジャンル、サブジャンル、出演者などが付与されているとする。
【００３８】
例えばチャンネル「第３放送」の１９時から２０時までの番組「音楽演奏会」は、ＥＰＧとしてジャンル＝音楽、サブジャンル＝クラシック、指揮者＝Mr. X、曲目＝交響曲第３番、などが付与されているとする。ＥＰＧから個別管理部分のファイル属性指定部の入力を行うには、リモコン等でＥＰＧ上の特定の番組を選択し、どのメディアに格納するかを指定することにより行える。
【００３９】
図９に番組分類表の例を示す。番組分類表とは番組の属するジャンルやサブジャンルの体系を表したものであり、ＥＰＧと同様に放送データとして送信されるもの、あるいはネットワークなどにより外部から入手するもの、あるいは受信機の中に予め組み込まれているものとする。番組分類表から個別管理部のファイル属性指定部の入力を行うには、リモコン等で番組分類表の上の特定の項目を選択し、どのメディアに格納するかを指定することにより行える。
【００４０】
ここで、図７のメディア６のファイル属性指定部に記述されたキーワードはＥＰＧ内のあらゆる記述とマッチングが行われる。メディア６のジャンル及びキーワードがこの番組の属性とマッチすることにより、チャンネル「第３放送」の１９時から２０時までの番組「音楽演奏会」はメディア６に録画される。
【００４１】
図１０は、本実施例の動作を示すフローチャートである。はじめに入力された番組の属性情報が、ファイル属性指定部に記録された属性情報と一致するかどうかを検出する（Ｓ１０１）。ここで属性が一致した番組は、個別管理部分のメディアに記録する（Ｓ１０２）。属性が一致しなかった番組は、記録を行なわない。（Ｓ１０３）。
【００４２】
本実施例によれば、番組分類表とＥＰＧの付随情報を利用すれば、直接番組を指定しなくても、ユーザーの所望する番組を個別管理部分のメディアに録画することが可能となる。
【００４３】
（第４の実施例）
第４の実施例に係るオートチェンジャー装置は、図１のオートチェンジャー装置１０に図示しないメディア設定変更部を更に具備する。メディア設定変更部は、一括管理部分のメディアを個別管理部分のメディアに変更する、あるいは逆に、個別管理部分のメディアを一括管理部分のメディアに変更するものである。第１の実施例と同様、メディア１〜３を一括管理部分とし、メディア４〜６を個別管理部分とする。また、第１の実施例と同様、個別管理部分の各メディア毎にファイル管理テーブルを持つものとする。
【００４４】
本実施例では記録領域を予め一括管理部分と個別管理部分の２つに分けることを想定している。一般に、一括管理部分は一時的な保存領域として用い、個別管理部分は永久保存領域として用いる。
【００４５】
一括管理部分はユーザープロファイル等に合致した番組をシステムが自動的に録画する領域として用いるのに適しており、個別管理部分はユーザーが録画したい番組とその格納先を明示的に指定する領域として用いるのに適している。しかし、この２つの領域の大きさを固定すると不便であり、利用状況によって変わることが望ましい。
【００４６】
一括管理部分と個別管理部分の大きさを変更するには、一括管理部分及び、個別管理部分の各ファイル管理テーブルの構成を変えることによりソフトウェア的に実現できる。その例を図１１，１２，１４のファイル管理テーブル図及び、図１３の動作フローチャートを用いて説明する。
【００４７】
まず一括管理部分のメディアを個別管理部分に変更する例について説明する。図１１に示す状態から、一括管理部分に属するメディア３を個別管理部分に変更した場合、ファイル管理テーブルは図１２のような状態になる。
【００４８】
この手順を図１３のフローチャートを用いて説明する。はじめに、一括管理部分の中でファイルの格納量が最小のメディア３を探す（Ｓ１３１）。最もファイルの格納量が少ないメディア３に格納されている全てのファイルを他の一括管理部分に属するメディア１及び又は２へ移動できるかどうか、判断する（Ｓ１３２）。他の一括管理部分のメディア１及び又は２に全てのファイルを移動できる場合は、移動する（Ｓ１３３）。
【００４９】
次に、前述の一括管理部分のメディア３を個別管理部分に属するものとして、一括管理部分のファイル管理テーブルと更新し、かつ、メディア３に対応する個別管理部分のファイル管理テーブルを作成する（Ｓ１３４）。
【００５０】
図１２の場合は、手順（１）でメディア３が選ばれ、手順（２）においてファイルＥを他の一括管理部分に属するメディア１に移動する。手順（３）においてファイル管理テーブルが更新される。
【００５１】
次に個別管理部分のメディアを一括管理部分に変更する例について説明する。図１１に示す状態から、個別管理部分に属するメディア４を一括管理に変更した場合、ファイル管理テーブルは図１４のような状態になる。この場合は、メディア番号が指定されているため、ファイルの移動は不要であり、ファイル管理テーブルの更新だけでよい。
【００５２】
このように一括管理部分のメディアと個別管理部分のメディアの設定の変更が容易となり、利用者の使い方に応じたファイルの管理が可能となる。
本実施例によれば、一括管理部分のメディアと個別管理部分のメディアの設定を変更することにより、ユーザーの使い方に応じたファイルの管理が可能となる。
（第５の実施例）
第５の実施例に係るオートチェンジャー装置は、図１のオートチェンジャー装置１０に図示しないメディア設定変更部と、ファイル指定部と、ファイル移動先決定部と、ファイル移動部を更に具備する。メディア設定変更部は、第４の実施例と同様である。ファイル指定部は、一括管理のメディアに格納されたファイル（番組）の中でユーザーが所望のものを指定するものである。ファイル移動先決定部は、あるメディア中に格納されているファイルあるいはサブファイルの移動先のメディアを決定するものである。また、ファイル移動部は、ファイル移動先決定部で決定されたメディアに移動対象であるファイルを移動するものである。なお、第１の実施例と同様、個別管理部分のメディア毎にファイル管理テーブルを持つものとする。
【００５３】
ここで、各メディアに格納されているファイルの一覧（番組）をユーザーに提示する手段を持つことが望ましい。
オートチェンジャー装置内のファイルの移動について説明する。ユーザーからは、一括管理部分内に一時的な保存領域として格納されたファイルを後に永久保存したい、あるいは外に持ち出したいという要求が発生することが考えられる。このため、一括管理部分のファイルを個別管理部分に移動する機能が必要である。しかしビデオ情報は膨大であり、異なるメディア間のファイルの移動に要する時間が多大となる。
【００５４】
本実施例のディスク管理装置は、メディアの管理を変更することにより、ファイルの移動に要する時間を短縮するものである。図１５は、メディア内のファイルの格納状態を示し、ファイルＤを一括管理から個別管理に移動した場合を示す。この場合の動作を図１６の動作フローチャートを用いて説明する。
【００５５】
はじめに、ファイルＤを個別管理に変更するための適切なメディア３を決定する（Ｓ１６１）。この決定されたメディア３内に存在するファイルＤ以外のファイルＥを一括管理部分に移動する（Ｓ１６２）。次に決定されたメディア３内に存在しないＤに関連するサブファイルを、メディア３以外のメディアから、メディア３に移動する（Ｓ１６３）。
【００５６】
次にメディア３を一括管理から個別管理に変更する（Ｓ１６４）。最後に個別管理部分に属する空きメディアを選択し、一括管理に変更する（Ｓ１６５）。
ここでＳ１６１では、ファイルＤを一括管理から個別管理に変更するため、ファイルの移動量が最小となるようにメディアを決定する。すなわち、メディア１，２，３のそれぞれについてＤのサブファイルを移動するための転入量とＤ以外のファイルを移動するための転出量との合計が最小となるメディアを見つければよい。本例においては以下のような計算となる。メディア１の転入量は３、転出量は３、合計は６となる。メディア２の転入量は２、転出量は３、合計は５となる。メディア３の転入量は１、転出量は１、合計は２となる。
【００５７】
以上によりメディア３がファイルの移動量が最小となるため、ファイル移動先決定部は、メディア３を一括管理から個別管理に変更することに決定する。
次にＳ１６２では、ファイル移動部がメディア３内の転出すべきファイルであるＥをメディア１の空き領域に移動する。
また、Ｓ１６３では、メディア３に転入すべきサブファイルであるＤ１をメディア２からメディア３に移動する。
ここで、必要なファイルの移動が終了したため、Ｓ１６４では、メディア３を一括管理から個別管理に変更する。
最後に、このままでは一括管理部分のメディアがひとつ減少するため、Ｓ１６５では代わりに個別管理部分の空きメディアであるメディア６を一括管理に変更する。
ここで、個別管理部分に空きメディアがないときは、ユーザーに適当なメッセージを提示し、個別管理部分の適当なメディアと空きメディアと入れ換えをうながすことが望ましい。
【００５８】
ここでは一括管理から個別管理に変更するメディアが１枚の場合を説明したが、指定されたファイルのサイズが大きいために複数枚のメディアを要するときも同様の方法で行うことができる。このとき、Ｓ１６２〜Ｓ１６５の操作は、該当する複数枚のメディアすべてに対して操作が終了した後に次のステップに進んでもよいし、各メディアに対してＳ１６２〜Ｓ１６５の一連の操作を繰り返し実行するのでもよい。
【００５９】
このような手順が実行された後のファイル管理テーブルの内容を図１７に示す。これらの手順により、指定されたファイルを一括管理から個別管理へと移動するときに、ファイルの移動に要する実行時間を最小とすることができる。
【００６０】
本実施例によれば、指定されたファイルを一括管理から個別管理へと移動するときに、ファイルの移動に要する実行時間を最小とすることが可能となる。
（第６の実施例）
第６の実施例に係るオートチェンジャー装置は、図１のオートチェンジャー装置１０に図示しない一括管理メディア設定変更部を更に具備する。一括管理メディア設定変更部は、一括管理部分のメディアの空きトラックを一時的に個別管理部分にするものである。
【００６１】
一般に録画予約に基づく録画においては記録領域が不足する場合が考えられる。ユーザーが録画予約を行った時点で、録画に要する記録容量を算出することにより記録領域の不足をユーザーに警告することにより対応可能であるが、放送時間の延長など録画予約時に想定されずに記録容量のオーバーフローが発生する場合もある。
【００６２】
本発明においては、一括管理部分は一時的な記録領域であるとの立場から記録領域が不足したときに他の領域を削除して使用することが可能であるが、個別管理部分は永久保存部分なのでシステムが勝手に削除することは許されない。このため、個別管理部分で記録領域が不足した場合に一括管理部分の領域を使用することが考えられる。
【００６３】
図２に示す状態でメディア５に格納すべきファイルＶを録画するときの例を図１８に示す。メディア５は全領域が書き込まれているので、一括管理部分内に追加部分を格納する。
【００６４】
すなわち、一括管理部分の空き領域としてメディア３のトラック４をメディア５の延長領域として使用する。この場合、一括管理部分のファイル管理テーブル、および個別管理部分のメディア５に関するファイル管理テーブルでは図１８のような拡張が必要となる。
【００６５】
すなわち、一括管理部分は自動消去の対象となるため、Ｖが格納されているメディア３のトラック４は一括管理部分ではないことをファイル管理テーブルに示す必要がある。このため、ファイル管理テーブルにマーク欄を設け、Ｖが格納されているメディア３のトラック４にマークをつけ、この領域が個別管理領域のため自動消去の対象ではないことを表す。また、メディア５のファイル管理テーブルにも延長部分がメディア３のトラック４に存在することを表すために、延長欄を設ける。なお、このような状態ではメディアの取り出しに不都合であるため、システムは一時的な状態として取り扱い、後にファイルの再配置が必要となる。
【００６６】
ここで、一定の時間内にユーザーからファイルＶへのアクセスがないときは、ユーザーに適当なメッセージを提示し、ファイルＶを個別管理部分の適当なメディアに移動するようにうながすことが望ましい。
【００６７】
このように、本実施例によれば、個別管理部分の記録容量が不足したときに、一括管理部分の記録領域を一時的に利用することにより、自動録画中の放送時間の延長のような突発的な場合でも番組全体を録画することが可能となる。
【００６８】
（第７の実施例）
第７の実施例に係るオートチェンジャー装置は、図１のオートチェンジャー装置１０に図示しないオーバーフロー領域設定部を更に具備する。オーバーフロー領域設定部は、一つあるいは複数の個別管理のメディアが溢れたときに、それらのメディアの延長として用いるメディアを設定するものである。
【００６９】
オーバーフロー領域の利用方法を図１９を用いて説明する。まず予めオーバーフロー領域としてメディア３を設定する。図１９はメディア５にファイルＶを格納したい場合について示したものである。これは例えば、メディア５の録画予約指定部とファイルＶが、あるいはファイル属性指定部とファイルＶの属性とが合致した場合に生じる。
【００７０】
このときメディア５に空き領域がないため、システムはオーバーフロー領域として設定されているメディア３をメディア５の延長として設定し、ファイルＶをメディア３のトラック１に格納する。
【００７１】
この場合、メディア３の録画予約指定部およびファイル属性指定部はメディア５の録画予約指定部およびファイル属性指定部にコピーされ、以降の録画予約においてメディア３はメディア５と同じ属性のファイルを記録することができる。
【００７２】
このように、本実施例によれば、予め設定したオーバーフロー領域を必要に応じて動的に割り当てることが可能となり、かつメディア単位で関連する内容を保持できるため、メディアの取り外しに好都合である。
【００７３】
（第８の実施例）
第８の実施例に係るオートチェンジャー装置は、図１のオートチェンジャー装置１０に図示しない延長メディア設定部を更に具備する。延長メディア設定部は、特定のメディアのオーバーフロー領域として用いるメディアを設定するものである。
【００７４】
ここでは、個別管理部分に属するあるメディアを特定のメディアの延長として設定することにより、メディアのオーバーフローに対処する例を図２０に示す。図２０は、個別管理部分に属するメディア３の延長としてメディア４が設定され、メディア５の延長としてメディア６が設定されていることを示している。
【００７５】
このとき、メディア５に空き領域がない状態であり、ここでファイルＤをメディア５に格納する場合、その延長であるメディア６に切り替えられて格納される。
このように、本実施例によれば、予め特定のメディアのオーバーフローが予測できる場合に、延長メディアをそのメディアのオーバーフロー領域として設定することにより、メディアのオーバーフローに対応しつつ関連する内容をメディア単位で保持することが可能となる。
【００７６】
【発明の効果】
本発明によれば、放送番組などの連続的に入力される情報の連続記録において煩わしい操作を行うことなく格納するメディアを決定することができ、かつユーザーは特定の番組に関しては予めメディアを指定して情報を記録することができるため、メディアを取り出して持ち出すことが容易となる。また、個別管理部分だけを持つシステムに比較して記録効率が向上する。
【図面の簡単な説明】
【図１】本発明に係るオートチェンジャー装置の構成図
【図２】本発明の第１の実施例に係るファイル管理テーブル説明図
【図３】本発明の第１の実施例に係るファイル管理テーブル説明図
【図４】本発明の第１の実施例に係る動作フローチャート
【図５】本発明の第２の実施例に係る録画予約指定部の説明図
【図６】本発明の第２の実施例に係る動作フローチャート
【図７】本発明の第３の実施例に係るファイル属性指定部の説明図
【図８】本発明の第３の実施例に係るＥＰＧの説明図
【図９】本発明の第３の実施例に係る番組分類表の説明図
【図１０】本発明の第３の実施例に係る動作フローチャート
【図１１】本発明の第４の実施例に係るファイル管理テーブルの説明図
【図１２】本発明の第４の実施例に係るファイル管理テーブルの説明図
【図１３】本発明の第４の実施例に係るファイル管理テーブルの説明図
【図１４】本発明の第４の実施例に係る動作フローチャート
【図１５】本発明の第５の実施例に係るファイルの格納状態の説明図
【図１６】本発明の第５の実施例に係る動作フローチャート
【図１７】本発明の第５の実施例に係るファイル管理テーブルの説明図
【図１８】本発明の第６の実施例に係るファイル管理テーブルの説明図
【図１９】本発明の第７の実施例に係るファイルの格納状態の説明図
【図２０】本発明の第８の実施例に係るファイルの格納状態の説明図
【符号の説明】
１〜６・・・メディア
１０・・・オートチェンジャー装置
１１・・・記録再生制御部
１２・・・バッファ
１３・・・メディア取出し口
【図１】
0003578443.tif 000002
【図２】
0003578443.tif 000003
【図３】
0003578443.tif 000004
【図４】
0003578443.tif 000005
【図５】
0003578443.tif 000006
【図６】
0003578443.tif 000007
【図７】
0003578443.tif 000008
【図８】
0003578443.tif 000009
【図９】
0003578443.tif 000010
【図１０】
0003578443.tif 000011
【図１１】
0003578443.tif 000012
【図１２】
0003578443.tif 000013
【図１３】
0003578443.tif 000014
【図１４】
0003578443.tif 000015
【図１５】
0003578443.tif 000016
【図１６】
0003578443.tif 000017
【図１７】
0003578443.tif 000018
【図１８】
0003578443.tif 000019
【図１９】
0003578443.tif 000020
【図２０】
0003578443.tif 000021